(57)【特許請求の範囲】
【請求項１】
ピストンのピストンピン挿入孔の内壁に形成された環状のクリップ溝に、略Ｃ字状のピストンピンクリップを嵌入するピストンピンクリップ嵌入装置であって、
前記ピストンピン挿入孔に接続して前記ピストンピンクリップを前記クリップ溝に向かって案内する案内部を備えるガイド手段と、該ガイド手段の案内部に沿って前記ピストンピン挿入孔のクリップ溝に向かって前記ピストンピンクリップを押圧する押圧手段とを備え、
前記ガイド手段の案内部は、前記ピストンピンクリップを始端の大径部から終端の小径部に亘って案内しつつ、該小径部において前記ピストンピンクリップを前記ピストンピン挿入孔に挿入可能に縮径するテーパ孔状の第１案内部と、該第１案内部の小径部に連続して前記ピストンピン挿入孔に向かって延出する円孔状の第２案内部とを備え、
前記第１案内部は、その全長に亘って該第１案内部の軸線と平行に刻設されて小径部側に終端壁が形成された溝部を備え、
前記押圧手段は、前記第１案内部の溝部に摺動自在に係合する延出部を有して該延出部が該溝部に沿って第１案内部の軸線方向に摺動することにより該第１案内部の大径部から小径部に亘って前記ピストンピンクリップを押圧し、該延出部の前記溝部の終端壁への当接によりピストンピンクリップの押圧を停止する第１押圧部材と、該第１押圧部材の延出部による押圧が停止して小径部に至ったピストンピンクリップを第２案内部を経てクリップ溝に嵌入されるまで押圧する第２押圧部材とを備え、
前記第１押圧部の延出部は、その先端部には内方に突出する凸部が形成され、
前記第２押圧部材は、前記凸部が摺動自在に係合される案内溝が該第２押圧部材の先端外周に、その軸線と平行に刻設されていることを特徴とするピストンピンクリップ嵌入装置。
【請求項２】
前記ガイド手段の第２案内部は、前記ピストンピン挿入孔に接続した際に、該ピストンピン挿入孔の開口端から前記クリップ溝に亘って挿入される挿入部を備えることを特徴とする請求項１記載のピストンピンクリップ嵌入装置。
【請求項３】
前記押圧手段の第２押圧部材は、前記第１押圧部材と同心に進退自在に設けられており、前記第１押圧部材が小径部に至った後、該第１押圧部材の先端から突出して、前記ガイド手段の第２案内部に沿って前記ピストンピンクリップを押圧することを特徴とする請求項１又は２記載のピストンピンクリップ嵌入装置。
【発明の詳細な説明】
【０００１】
【発明の属する技術分野】
本発明は、ピストンピン挿入孔に挿着されたピストンピンの抜け止め用のピストンピンクリップを、ピストンピン挿入孔に形成されたクリップ溝に嵌入するピストンピンクリップ嵌入装置に関する。
【０００２】
【従来の技術】
従来、特開平７−６８４３２号公報に示されるピストンピンクリップ嵌入装置が知られている。この種のピストンピンクリップ嵌入装置は、ピストン本体に形成されたピストンピン挿入孔に中空のピストンピンが挿着された後に、ピストンピン挿入孔の一端開口からピストンピンを貫通して該ピストンピン挿入孔の他端開口に先端部を突出させる受け軸を備えている。該ピストンピン挿入孔の他端開口から突出した受け軸の先端部にはピストンピンクリップが保持される。
【０００３】
該ピストンピン挿入孔の他端開口側には、受け軸の先端部に保持されたピストンピンクリップを該受け軸に沿ってピストンピン挿入孔の内部に向かって押圧する筒状のプッシャが設けられている。該プッシャは、その先端にピストンピンクリップを当接して該ピストンピンクリップを受け軸に沿って押圧移動させ、ピストンピン挿入孔の内面に形成されたクリップ溝に該ピストンピンクリップを嵌入する。
【０００４】
しかし、このような構成のピストンピンクリップ嵌入装置によると、前記受け軸には、該受け軸をピストンピン挿入孔の一端側から貫通後退させる駆動装置を設け、前記プッシャには、該プッシャをピストンピン挿入孔の他端側に向かって進退させる他の駆動装置を設けなければならず、装置構成が複雑となる不都合がある。
【０００５】
また、上述のピストンピンクリップ嵌入装置は、前記受け軸によってピストンピンクリップを案内する構成であるために、プッシャによるピストンピンクリップの嵌入前と嵌入後との夫々に前記受け軸のピストンピン挿入孔への抜き差しを行わなければならず、このような受け軸を作動させる時間が必要なぶん作業効率が低下する不都合がある。
【０００６】
【発明が解決しようとする課題】
かかる不都合を解消して、本発明は、比較的コンパクトに構成することができると共に、ピストンピンクリップの嵌入作業を迅速に行うことができるピストンピンクリップ嵌入装置を提供することを目的とする。
【０００７】
【課題を解決するための手段】
かかる目的を達成するために、本発明は、ピストンのピストンピン挿入孔の内壁に形成された環状のクリップ溝に、略Ｃ字状のピストンピンクリップを嵌入するピストンピンクリップ嵌入装置であって、前記ピストンピン挿入孔に接続して前記ピストンピンクリップを前記クリップ溝に向かって案内する案内部を備えるガイド手段と、該ガイド手段の案内部に沿って前記ピストンピン挿入孔のクリップ溝に向かって前記ピストンピンクリップを押圧する押圧手段とを備え、前記ガイド手段の案内部は、前記ピストンピンクリップを始端の大径部から終端の小径部に亘って案内しつつ、該小径部において前記ピストンピンクリップを前記ピストンピン挿入孔に挿入可能に縮径するテーパ孔状の第１案内部と、該第１案内部の小径部に連続して前記ピストンピン挿入孔に向かって延出する円孔状の第２案内部とを備え、前記第１案内部は、その全長に亘って該第１案内部の軸線と平行に刻設されて小径部側に終端壁が形成された溝部を備え、前記押圧手段は、前記第１案内部の溝部に摺動自在に係合する延出部を有して該延出部が該溝部に沿って第１案内部の軸線方向に摺動することにより該第１案内部の大径部から小径部に亘って前記ピストンピンクリップを押圧し、該延出部の前記溝部の終端壁への当接によりピストンピンクリップの押圧を停止する第１押圧部材と、該第１押圧部材の延出部による押圧が停止して小径部に至ったピストンピンクリップを第２案内部を経てクリップ溝に嵌入されるまで押圧する第２押圧部材とを備え、前記第１押圧部の延出部は、その先端部には内方に突出する凸部が形成され、前記第２押圧部材は、前記凸部が摺動自在に係合される案内溝が該第２押圧部材の先端外周に、その軸線と平行に刻設されていることを特徴とする。
【０００８】
本発明によれば、先ず、ピストンピン挿入孔に前記ガイド手段の案内部を接続する。該案内部は前記第１案内部と前記第２案内部とを備えており、該第１案内部の始端の大径部には、予めピストンピンクリップを載置しておく。
【０００９】
次いで、前記押圧手段により、前記第１案内部及び前記第２案内部に沿ってピストンピンクリップを前記クリップ溝に向かって押圧する。該押圧手段は、前記第１押圧部材と前記第２押圧部材とを備えている。前記第１押圧部材の押圧によりピストンピンクリップが前記第１案内部の大径部から小径部に向かって押圧されて弾発的に縮径される。縮径された状態のピストンピンクリップは前記第２押圧部材の押圧により前記第２案内部に沿って押圧される。縮径された状態のピストンピンクリップは前記第２案内部の規制により縮径された状態が維持されてクリップ溝に至る。該クリップ溝においては、ピストンピンクリップが弾発的に拡径して該クリップ溝に嵌合される。
【００１０】
このように、本発明によれば、ピストンピン挿入孔に接続された前記ガイド手段の案内部に沿って、前記押圧手段によりピストンピンクリップをクリップ溝に向かって押圧するといった一挙動で、クリップ溝へのピストンピンクリップの嵌入が行われるので、ピストンピンクリップの嵌入作業が迅速に行え作業効率を向上することができる。
【００１１】
更に、本発明によれば、テーパ孔状の前記第１案内部によってピストンピンクリップを確実に縮径した状態でピストンピン挿入孔に押入することができるので、クリップ溝へのピストンピンクリップの嵌入を円滑に且つ確実に行うことができる。
【００１２】
そして、前記溝部は、前記第１案内部がテーパ状に次第に縮径される傾斜形状であるのに対して、該第１案内部の軸線と平行、即ち直線状に設けられている。前記第１押圧部材は、該溝部に沿って摺動することにより、第１案内部の軸線に沿ってピストンピンクリップを押圧する。一方、ピストンピンクリップは、テーパ孔状の第１案内部によって次第に縮径方向に案内されながら、前記第１押圧部材によって押圧される。
【００１４】
また、本発明において、前記ガイド手段の第２案内部は、前記ピストンピン挿入孔に接続した際に、該ピストンピン挿入孔の開口端から前記クリップ溝に亘って挿入される挿入部を備えることを特徴とする。
【００１５】
該挿入部を設けたことにより、前記第２案内部に案内されたピストンピンクリップを、前記クリップ溝に至るまでピン挿入孔の内面に接触させることなく嵌入することができる。これにより、縮径された状態で案内されるピストンピンクリップが、ピストンピン挿入孔の内面に弾発的に接触することによるピストンピン挿入孔の内面の傷つき等を確実に防止することができる。
【００１６】
更に、前記第２押圧部材は前記第１押圧部材と同心に設けられ、該第１押圧部材が第１案内部の終端の小径部に至った後に該第１押圧部材の先端から突出する。そして、ピストンピンクリップは該第１押圧部材の先端から突出した第２押圧部材によって前記第２案内部に沿って押圧される。
【００１７】
このように、本発明によれば、ピストンピンクリップをテーパ孔状の第１案内部に沿って案内させつつ押圧する際に、前記第１押圧部材の移動方向を第１案内部の軸線に沿った直線方向とすることができ、更に、前記第２押圧部材の進出方向も前記第１押圧部材の移動方向と同一方向とされるので、第１押圧部材と第２押圧部材とを駆動させるための装置構成を簡単として比較的コンパクトに形成することができる。
【００１８】
【発明の実施の形態】
本発明の一実施形態を図面に基づいて説明する。図１は本実施形態の装置構成を要部を断面視して示す説明図、図２は図１の装置においてピストンピンクリップの嵌入時の状態を示す説明図、図３はガイド手段の平面図、図４は図１のIV−IV線断面図、図５は本実施形態の要部の作動を示す説明図、図６は図５に続く要部の作動を示す説明図である。
【００１９】
本実施形態のピストンピンクリップ嵌入装置１は、図１及び図２に示すように、ピストン２を位置決めして載置する載置部３と、該載置部３に隣接して上下方向に延設されたレール４とを備えている。該レール４には、第１昇降フレーム５と第２昇降フレーム６とが摺動自在に設けられている。第１昇降フレーム５は、レール４に沿って摺動自在の摺動部材７と、該摺動部材７をレール４に沿って昇降するシリンダ８とを備え、前記摺動部材７から前記ピストン２の上方位置に延びる支持部材９を介して後述する押圧手段１０を支持している。また、第２昇降フレーム６は、レール４に沿って摺動自在の摺動部材１１と、該摺動部材１１をレール４に沿って上昇方向に付勢するバネ部材１２と、該摺動部材１１の上昇を所定の位置に規制するストッパ１３とを備え、前記摺動部材１１から前記ピストン２の上方位置に延びる支持部材１４を介してガイド手段１５を支持している。
【００２０】
該ガイド手段１５は、図１に示すように、前記載置部３に載置されたピストン２のピストンピン挿入孔１６に接続される円孔状の案内部１７と、該案内部１７の上端から外方に張り出した平坦部１８とを備えている。
【００２１】
該案内部１７は、図１及び図３に示すように、下方に向かって次第に縮径するテーパ孔状の第１案内部１９と、該第１案内部１９の下方に一定の内径で延びる円孔状の第２案内部２０と、図６（ａ）に拡大して示すように、ピストンピン挿入孔１６の開口端部からクリップ溝２１にかけて、ピストンピン挿入孔１６に挿入される挿入部２２とを備えている。
【００２２】
図１及び図３に示すように、第１案内部１９は、大径部２３がピストンピンクリップ２４を載置できる内径に形成されており、小径部２５がピストンピンクリップ２４をピストンピン挿入孔１６に挿入可能な外径に縮径させる内径に形成されている。また、前記第２案内部２０の内径は、第１案内部１９の終端（小径部２５）の内径と同径に形成されている。前記挿入部２２は、ピストンピン挿入孔１６に対応する外径を有し且つ内径は第２案内部２０に連続して該第２案内部２０の内径と同径に形成されている。
【００２３】
更に、該案内部１７は、図１及び図３に示すように、第１案内部１９の全長に亘って上下方向に形成された複数（本実施形態においては３つ）の溝部２６を備えている。該溝部２６は第１案内部１９の軸線に平行して溝底部が直線的に上下方向に延びているが、このために、テーパ孔状の第１案内部１９の内面の位置と相対的には、第１案内部１９の大径部２３から小径部２５にかけて次第に深さが増加するように設けられている。
【００２４】
前記押圧手段１０は、図１に示すように、前記第１昇降フレーム５の支持部材９の下方に延設された案内ロッド２７と、該案内ロッド２７に摺動自在に支持された外筒部材２８とを備えている。外筒部材２８は、第１押圧部材２９を同心に摺動自在に支持しており、該第１押圧部材２９は、第２押圧部材３０を同心に摺動自在に支持している。外筒部材２８は、その上端部に設けられた第１バネ部材３１によって下方に付勢されている。第２押圧部材３０は、第１押圧部材２９の上端部を摺動自在に貫通して上方に延びる摺動ロッド３２を介して該第１押圧部材２９に支持されており、第１押圧部材２９の上端部に設けられた第２バネ部材３３によって上方に付勢されている。該摺動ロッド３２の上端と前記案内ロッド２７の下端とは、前記第１バネ部材３１の付勢により所定間隔を存して対向しており、図２に示すように、前記第１バネ部材３１の付勢に対抗して外筒部材２８が上昇されたときには、前記案内ロッド２７の下端が、摺動ロッド３２の上端を下方に押圧する。これにより、詳しくは後述するが、第２押圧部材３０の下端部が第１押圧部材２９の下方に進出される。
【００２５】
また、図１に示すように、第１押圧部材２９は、その上端部に設けられた第３バネ部材３４によって下方に付勢されている。該第３バネ部材３４は、図２に示すように、外筒部材２８が前記ガイド手段１５の平坦部１８に当接した際の衝撃を緩和するために設けられている。
【００２６】
前記第１押圧部材２９は、図１に示すように、外筒部材２８の下端側に延出する延出部３５を備えている。該延出部３５は、その先端によりピストンピンクリップ２４を下方に押圧するものであり、図２に示すように、押圧手段１０が下降されたときには前記ガイド手段１５の溝部２６に摺動自在に係合する。また、図４に示すように、該延出部３５の先端部には内方に突出する凸部３６が形成されており、該凸部３６は前記第２押圧部材３０の下端部外周に上下方向に刻設された案内溝３７に摺動自在に係合している。
【００２７】
次に、以上のように構成されたピストンピンクリップ嵌入装置１の作動を説明する。先ず、図１に示すように、ピストン２を載置部３に載置し、ガイド手段１５の第１案内部１９の大径部２３にピストンピンクリップ２４を載置する。このとき、図３に示すように、ピストンピンクリップ２４の開口部分（不連続の部分）が溝部２６から避けるように該ピストンピンクリップ２４を載置する。次いで、シリンダ８の駆動によって前記第１昇降フレーム５を下降させ、押圧手段１０を下降させる。前記ガイド手段１５は、押圧手段１０の下降途中で該押圧手段１０に押圧され、該押圧手段１０と一体に下降して、図２に示すように、ピストン２のピストンピン挿入孔１６に接続される。一方、ピストンピンクリップ２４は、前記ガイド手段１５と押圧手段１０とが一体に下降される際に案内部１７に挿入された前記第１押圧部材２９及び第２押圧部材３０により下方に押圧され、前記ガイド手段１５がピストンピン挿入孔１６に接続された後にクリップ溝２１に嵌入される。
【００２８】
押圧手段１０によるピストンピンクリップ２４の嵌入工程を更に詳しく説明すれば、先ず、図５（ａ）に示すように、ガイド手段１５の第１案内部１９に第１押圧部材２９及び第２押圧部材３０が挿入される。このとき、第１案内部１９の溝部に沿って第１押圧部材２９の延出部３５が下降され、該延出部３５の先端によってピストンピンクリップ２４が押圧される。これにより、該ピストンピンクリップ２４はテーパ孔状の第１案内部１９に案内され、次第に縮径しつつ下方に移動する。
【００２９】
次いで、図５（ｂ）に示すように、押圧手段１０の外筒部材２８の下端がガイド手段１５の平坦部１８に当接して該ガイド手段１５が押圧手段１０の下降に追従する。同時に第１押圧部材２９の延出部３５が、溝部２６の終端（下端）に当接する。このとき第１押圧部材２９の延出部３５によって押圧されていたピストンピンクリップ２４は、第１案内部１９の小径部２５を経て第２案内部２０に移動する。
【００３０】
そして、押圧手段１０と共に下降したガイド手段１５は、図６（ａ）に示すように、該ガイド手段１５の挿入部２２がピストンピン挿入孔１６に挿入されて下降が規制される。ここで更に前記第１昇降フレーム５の下降が続けられると、図２に示すように、外筒部材２８が第１バネ部材３１の付勢に対抗して支持部材９に接近し、相対的に案内ロッド２７が下方に突出して第２押圧部材３０を下方に押圧する。
【００３１】
これにより、図６（ａ）に示すように、第２押圧部材３０が進出して第２案内部２０に挿入され、該第２案内部２０のピストンピンクリップ２４は弾発的に縮径された状態で第２押圧部材３０により押圧されて第２案内部２０に沿って下方に移動する。  そして更に前記第１昇降フレーム５の下降が続けられると、第２押圧部材３０は、第２案内部２０を経て前記挿入部２２に沿ってピストンピンクリップ２４を押圧する。その後、挿入部２２の下端に至ったピストンピンクリップ２４は、挿入部２２から脱出して弾発的に拡径し、クリップ溝２１に嵌入される。
【００３２】
以上のように、本実施形態のピストンピンクリップ嵌入装置１によれば、前記シリンダ８の駆動によって押圧手段１０を下降させることにより、一挙動でピストンピンクリップ２４の嵌入が行われるので、迅速且つ確実なピストンピンクリップ２４の嵌入を行うことができる。しかも、前記ガイド手段１５の挿入部２２を設けたことによって、ピストンピンクリップ２４がピストンピン挿入孔１６の内面に接触することなくクリップ溝２１に嵌入されるので、ピストンピン挿入孔１６の内面を傷つけることなくピストンピンクリップ２４の嵌入を行うことができる。
【図面の簡単な説明】
【図１】本発明の一実施形態の装置構成を要部を断面視して示す説明図。
【図２】図１の装置においてピストンピンクリップの嵌入時の状態を示す説明図。
【図３】ガイド手段の平面図。
【図４】図１のIV−IV線断面図。
【図５】本実施形態の要部の作動を示す説明図。
【図６】図５に続く要部の作動を示す説明図。
【符号の説明】
１…ピストンピンクリップ嵌入装置、１０…押圧手段、１５…ガイド手段、１６…ピストンピン挿入孔、１７…案内部、１９…第１案内部、２０…第２案内部、２１…クリップ溝、２２…挿入部、２３…大径部、２４…ピストンピンクリップ、２５…小径部、２６…溝部、２９…第１押圧部材、３０…第２押圧部材、３５…延出部、３６…凸部、３７…案内溝。
【図１】
0004294789.tif 000002
【図２】
0004294789.tif 000003
【図３】
0004294789.tif 000004
【図４】
0004294789.tif 000005
【図５】
0004294789.tif 000006
【図６】
0004294789.tif 000007